(57)【要約】      （修正有）【課題】複数の電気機器のうちのいずれかの電気機器に通信異常が生じた場合でも、通信異常の生じている電気機器とは別の電気機器をより早期に制御することの可能な管理システムを提供する。【解決手段】住宅１０において、管理システム８０は、統合操作装置４０と、管理装置８１とを備える。統合操作装置４０は、電気機器１５〜１９を統括的に遠隔操作する。管理装置８１は、優先順位情報を統合操作装置４０に送信する。統合操作装置４０は、管理装置８１からの指令に基づいて電気機器１５〜１９を遠隔操作する際に、優先順位情報に基づいて電気機器１５〜１９を順に遠隔操作するとともに、電気機器１５〜１９を遠隔操作する際に通信異常が生じた場合には、通信異常の生じた電気機器の次の優先順位の電気機器を遠隔操作する。【選択図】図１
2018182559.tif 000002
【特許請求の範囲】
【請求項１】
住宅の複数の電気機器（１５〜１９）との無線通信により、複数の前記電気機器を統括的に遠隔操作することの可能な統合操作装置（４０）と、
前記統合操作装置を介して複数の前記電気機器のそれぞれを操作する管理装置（８１）と、を備え、
前記管理装置は、
前記統合操作装置が複数の前記電気機器を遠隔操作する際の優先順位を規定する優先順位情報を前記統合操作装置に送信し、
前記統合操作装置は、
前記管理装置からの指令に基づいて複数の前記電気機器を遠隔操作する際に、前記優先順位情報に基づいて複数の前記電気機器を順に遠隔操作するとともに、
複数の前記電気機器を遠隔操作する際に通信異常が生じた場合には、通信異常の生じた前記電気機器の次の優先順位の電気機器を遠隔操作する
管理システム。
【請求項２】
前記管理装置は、
複数の前記電気機器の優先順位を、複数の前記電気機器のそれぞれの電力情報に基づいて設定する
請求項１に記載の管理システム。
【請求項３】
前記管理装置は、
前記電力情報として定格消費電力を用いるとともに、
複数の前記電気機器の優先順位を、前記定格消費電力が高いものほど優先順位が高くなるように設定する
請求項２に記載の管理システム。
【請求項４】
前記管理装置は、
前記電力情報として現在の消費電力を用いるとともに、
複数の前記電気機器の優先順位を、前記現在の消費電力が高いものほど優先順位が高くなるように設定する
請求項２に記載の管理システム。
【請求項５】
前記管理装置は、
前記統合操作装置との通信により複数の前記電気機器のそれぞれの前記電力情報を取得する
請求項２〜４のいずれか一項に記載の管理システム。
【請求項６】
前記管理装置は、
前記統合操作装置との通信により複数の前記電気機器のうちの一部の電気機器の前記電力情報を取得することができなかった場合には、前記電力情報を取得することのできた電気機器の優先順位を前記電力情報に基づいて設定するとともに、前記電力情報を取得することのできなかった電気機器の優先順位を予め定められた優先順位を用いて設定する
請求項５に記載の管理システム。
【請求項７】
前記管理装置は、
前記統合操作装置との通信により複数の前記電気機器の全ての前記電力情報を取得することができなかった場合には、前記電気機器の全ての優先順位を予め定められた優先順位を用いて設定する
請求項５に記載の管理システム。
【請求項８】
前記管理装置は、
前記電気機器との通信に異常が生じている場合には、その旨を前記住宅の外部のサーバ装置（９０）に送信する
請求項１〜７のいずれか一項に記載の管理システム。
【発明の詳細な説明】
【技術分野】
【０００１】
本開示は、管理システムに関する。
【背景技術】
【０００２】
近年、省エネルギへの取り組みが社会的に重要視されており、住宅においては、住人の操作によらずに住宅の省エネルギを実現するエネルギ管理機器や家電製品が導入されている。このうち、エネルギ管理機器には、ＨＥＭＳ（Home Energy Management System）と呼ばれるものがある。ＨＥＭＳは、住宅の電力消費量の可視化や、エネルギ節約のための住宅の機器の制御、並びに発電装置及び充電装置の制御等を実行することにより、住宅の省エネルギを実現する。
【０００３】
住宅の機器を制御するシステムとしては、特許文献１に記載の制御システムがある。特許文献１に記載の制御システムは、住宅内の複数の電気機器を集中して制御するものであって、ユーザの操作により入力された電気機器情報に基づいて電気機器を制御する。電気機器情報は、例えば設置場所や作動状態である。具体的には、コントローラが電気機器情報に基づいて指令内容を決定し、この指令内容に応じた指令信号を電気機器に送信することにより電気機器を制御している。
【先行技術文献】
【特許文献】
【０００４】
【特許文献１】特開平４−１０１５９８号公報
【発明の概要】
【発明が解決しようとする課題】
【０００５】
ところで、住宅の電気機器は、 ＨＡ（Home Automation）と称される機器連携を行うために、規格化された通信機能を有しているものがある。このＨＡ規格では、簡単な機器操作しか行えないため、多様な機器操作を住宅設備関連機器や家電製品等において可能とする標準化通信規格として、例えば「ＥＣＨＯＮＥＴ」や「ＥＣＨＯＮＥＴ  Ｌｉｔｅ」がある。
【０００６】
「ＥＣＨＯＮＥＴ  Ｌｉｔｅ」対応機器では、複数の電気機器のそれぞれの操作装置を統合化することにより、複数の電気機器の遠隔操作を可能とする統合操作装置の開発が進められている。このような統合操作装置の通信処理としては、コスト低減等の観点から、同時に複数の通信を並列処理することのできない単一逐次通信処理が採用されている。そのため、例えばコントローラが所定の電気機器に指令信号を送信した際に、何らかの理由により所定の電気機器との通信に異常が生じると、所定の電気機器との通信が成立するまでコントローラが指令信号の送信を繰り返すことになる。結果として、所定の電気機器以外の他の電気機器への指令信号の送信が遅れるため、他の電気機器の制御に遅延が発生するおそれがある。
【０００７】
本開示は、こうした実情に鑑みてなされたものであり、その目的は、複数の電気機器のうちのいずれかの電気機器に通信異常が生じた場合でも、通信異常の生じている電気機器とは別の電気機器をより早期に制御することの可能な管理システムを提供することにある。
【課題を解決するための手段】
【０００８】
上記課題を解決する管理システム（８０）は、統合操作装置（４０）と、管理装置（８１）と、を備える。統合操作装置は、住宅の複数の電気機器（１５〜１９）との無線通信により、複数の電気機器を統括的に遠隔操作することが可能である。管理装置は、統合操作装置を介して複数の電気機器のそれぞれを操作する。管理装置は、統合操作装置が複数の電気機器を遠隔操作する際の優先順位を規定する優先順位情報を統合操作装置に送信する。統合操作装置は、管理装置からの指令に基づいて複数の電気機器を遠隔操作する際に、優先順位情報に基づいて複数の電気機器を順に遠隔操作するとともに、複数の電気機器を遠隔操作する際に通信異常が生じた場合には、通信異常の生じた電気機器の次の優先順位の電気機器を遠隔操作する。
【０００９】
この構成によれば、統合操作装置により電気機器を遠隔操作する際に通信異常が生じた場合でも、通信異常の生じた電気機器の次の優先順位の電気機器が統合操作装置により遠隔操作される。よって、通信異常の生じている電気機器とは別の電気機器をより早期に制御することが可能となる。
【００１０】
なお、上記手段、特許請求の範囲に記載の括弧内の符号は、後述する実施形態に記載の具体的手段との対応関係を示す一例である。
【発明の効果】
【００１１】
本開示によれば、複数の電気機器のうちのいずれかの電気機器に通信異常が生じた場合でも、通信異常の生じている電気機器とは別の電気機器をより早期に制御することの可能な管理システムを提供できる。
【図面の簡単な説明】
【００１２】
【図１】図１は、第１実施形態の住宅の概略構成を示すブロック図である。
【図２】図２は、第１実施形態の統合操作装置の概略構成を示すブロック図である。
【図３】図３は、管理装置、統合操作装置、充電装置、蓄電装置、空調装置、照明装置のそれぞれの動作例を示すシーケンスチャートである。
【図４】図４は、第１実施形態の管理装置により実行される処理の手順を示すフローチャートである。
【図５】図５は、第１実施形態の管理装置による優先順位の設定例を示す図表である。
【図６】図６は、第１実施形態の統合操作装置の制御部により実行される処理の手順を示すフローチャートである。
【図７】図７は、第１実施形態の管理装置、統合操作装置、充電装置、蓄電装置、空調装置、照明装置のそれぞれの動作例を示すシーケンスチャートである。
【図８】図８は、第２実施形態の管理装置により実行される処理の手順を示すフローチャートである。
【発明を実施するための形態】
【００１３】
以下、管理システムの実施形態について図面を参照しながら説明する。説明の理解を容易にするため、各図面において同一の構成要素に対しては可能な限り同一の符号を付して、重複する説明は省略する。
＜第１実施形態＞
はじめに、第１実施形態の管理システムが用いられる住宅の概略構成について説明する。図１に示されるように、本実施形態の住宅１０には、太陽光発電装置１１、ＰＣＳ（Power Conditioning System）１２、分電盤１３、メータ１４、充電装置１５、蓄電装置１６、空調装置１７、照明装置１８、及び扇風機１９が設けられている。以下では、便宜上、充電装置１５、蓄電装置１６、空調装置１７、照明装置１８、及び扇風機１９をまとめて「電気機器１５〜１９」とも称する。
【００１４】
太陽光発電装置１１は、住宅１０の屋上に配置された図示しない太陽光パネルにより太陽光のエネルギを直流電力に変換することで発電する。
ＰＣＳ１２は、太陽光発電装置１１により発電される直流電力を、住宅１０で使用可能な交流電力に変換する。ＰＣＳ１２は、変換した交流電力を分電盤１３に供給する。
【００１５】
分電盤１３は、電力系統２０及びＰＣＳ１２から供給される交流電力を電気機器１５〜１９に直接的に、あるいはコンセント等を介して分配する。電気機器１５〜１９は、分電盤１３から供給される交流電力に基づいて駆動する。分電盤１３は、電気機器１５〜１９を含め、各種電気機器１５〜１９の個別の消費電力を検出する機能を有している。また、分電盤１３は、ＰＣＳ１２から供給される電力、すなわち太陽光発電装置１１の発電電力を検出する機能も有している。
【００１６】
メータ１４は、電力系統２０から分電盤１３に至る電力線の途中に設けられている。メータ１４は、住宅１０の全体の消費電力を検出する。
充電装置１５は、電力系統２０又はＰＣＳ１２から分電盤１３を介して供給される交流電力に基づいて、車両３０に搭載されているバッテリを充電する装置である。電力系統２０及びＰＣＳ１２から分電盤１３を介して供給される交流電力は、充電装置１５又は車両３０においてバッテリの充電に適した電力に変換された上で車両３０のバッテリに充電される。車両３０は、そのバッテリから供給される電力に基づいて電動機を駆動させることにより走行するハイブリッド車や電動車両等である。
【００１７】
具体的には、充電装置１５は、車両３０に設けられた図示しないインレットに接続可能な接続部１５０を備えている。接続部１５０を車両３０のインレットに接続すると、充電装置１５から車両３０への電力供給が行われ、車両３０のバッテリが充電される。充電装置１５は、自身の消費電力、すなわち車両３０への供給電力を監視する機能を有している。
【００１８】
蓄電装置１６は、電力系統２０及びＰＣＳ１２から分電盤１３を介して供給される交流電力を充電に適した電力に変換した上で充電する。蓄電装置１６は、充電電力を電気機器１５，１７〜１９を含め、住宅１０内のその他の各種電気機器に分電盤１３を介して供給することが可能である。蓄電装置１６は、充電電力及び放電電力を監視する機能を有している。
【００１９】
また、住宅１０には、電気機器１５〜１９を統括的に遠隔操作することの可能な統合操作装置４０が設けられている。統合操作装置４０は、住宅１０の無線ルータ５０を介して端末装置６０と無線通信可能に接続されている。無線ルータ５０は、住宅１０の無線通信を確立するとともに、住宅１０内のローカルエリアネットワーク（ＬＡＮ）７１を介してネットワーク回線７０に有線接続されている。
【００２０】
なお、統合操作装置４０と電気機器１５〜１９との通信規格としては、「ＥＣＨＯＮＥＴ  Ｌｉｔｅ」規格が用いられている。また、統合操作装置４０と電気機器１５〜１９との通信処理には、単一逐次通信処理が採用されている。
端末装置６０は、住宅１０の住人が所持するスマートフォンやタブレット端末である。端末装置６０では、インストールされているアプリケーション等を用いて、電気機器１５〜１９のそれぞれに対して、始動や停止等の各種動作指示を個別に行うことが可能となっている。端末装置６０は、電気機器１５〜１９に対する動作指示の操作が行われると、その動作指示に応じた指令信号を統合操作装置４０に送信する。指令信号には、操作対象である電気機器の情報や、実際の操作内容の情報等が含まれている。端末装置６０が住宅１０に存在する場合には、すなわち端末装置６０の所持者が在宅中である場合には、端末装置６０から送信される指令信号は、無線ルータ５０を介して統合操作装置４０に送信される。また、端末装置６０が住宅１０内に存在しない場合には、すなわち端末装置６０の所持者が在宅中でない場合には、端末装置６０から送信される指令信号は、ネットワーク回線７０及び無線ルータ５０を介して統合操作装置４０に送信される。
【００２１】
図２に示されるように、統合操作装置４０は、無線通信部４１と、制御部４２と、赤外線通信部４３とを備えている。無線通信部４１は、無線ルータ５０と双方向の無線通信を行う部分である。赤外線通信部４３は、電気機器１５〜１９と双方向の赤外線通信を行う部分である。制御部４２は、無線通信部４１及び赤外線通信部４３を介した通信処理を行う部分である。
【００２２】
制御部４２は、端末装置６０から送信される指令信号を、無線通信部４１を介して受信すると、その指令信号に含まれている情報に基づいて、操作対象である電気機器に対応した赤外線通信用の指令信号を生成する。制御部４２は、生成した指令信号を、赤外線通信部４３を介して、操作対象である電気機器に送信する。これにより、電気機器は、端末装置６０に対して行われた操作の通りに動作する。
【００２３】
なお、電気機器１５〜１９は、統合操作装置４０から送信される指令信号に基づく動作を完了した場合、その旨を示す動作完了信号を統合操作装置４０に赤外線通信により送信する。制御部４２は、赤外線通信部４３を通じて動作完了信号を受信することにより、操作対象である電気機器が指令信号の通りに動作したことを認知することができる。
【００２４】
このような統合操作装置４０によれば、端末装置６０を操作することにより住人が任意の場所で電気機器１５〜１９を操作することができるため、利便性を向上させることができる。
さらに、図１に示されるように、住宅１０には、管理システム８０が設けられている。管理システム８０は、住宅１０の電力状態を統括的に管理する、いわゆるＨＥＭＳ（Home Energy Management System）と称されるものである。管理システム８０は、管理装置８１と、ＨＥＭＳ端末装置８２とを備えている。
【００２５】
管理装置８１は、分電盤１３及びメータ１４とＬＡＮ７１を介して通信可能に接続されている。管理装置８１は、それらの機器から各種電力情報を取得するとともに、取得した電力情報に基づいて住宅１０の電力状態を管理している。
具体的には、管理装置８１は、分電盤１３から、電気機器１５〜１９のそれぞれの消費電力や、太陽光発電装置１１の発電電力等の情報を取得する。また、管理装置８１は、メータ１４から住宅１０の全体の消費電力の情報を取得する。管理装置８１は、これらの電力情報に基づいて、電気機器１５〜１９の始動及び停止の切り替えや、蓄電装置１６の充電及び放電の切り替えを住人の操作によらずに自動的に行うことにより、住宅１０の全体の消費電力を節約する電力制御等、住宅１０の各種電力状態を管理する。
【００２６】
管理装置８１は、電気機器１５〜１９を制御する際には、その制御に対応した指令信号を統合操作装置４０に送信する。指令信号には、操作対象である電気機器の情報や、実際の制御に対応した操作内容の情報等が含まれている。すなわち、管理装置８１は、統合操作装置４０を介して電気機器１５〜１９に指令信号を送信することにより、電気機器１５〜１９を制御する。
【００２７】
管理装置８１は、ＬＡＮ７１及びネットワーク回線７０を介して、住宅１０の外部のサーバ装置９０と通信することが可能となっている。管理装置８１は、住宅１０の電力情報や、住宅１０の電気機器１５〜１９の異常情報等をサーバ装置９０に送信する。サーバ装置９０は、複数の住宅を統括的に管理する会社等に設けられている装置である。サーバ装置９０は、複数の住宅のそれぞれから送信される情報に基づいて各住宅の電力情報を管理している。また、サーバ装置９０は、電力情報を管理している住宅の電気機器に異常が生じた場合には、その旨を住人の端末装置６０に送信する等の異常対策処理を行う。
【００２８】
ＨＥＭＳ端末装置８２は、管理システム８０専用の操作装置である。ＨＥＭＳ端末装置８２は、管理システム８０に関する各種情報を表示するタッチパネルを有している。タッチパネルには、住宅１０の全体の消費電力や、太陽光発電装置１１の発電電力、電気機器１５〜１９の個別の消費電力等を表示することが可能となっている。
【００２９】
ところで、この管理システム８０のように、管理装置８１から統合操作装置４０に送信される指令信号に基づいて電気機器１５〜１９が操作される構成の場合、統合操作装置４０と電気機器１５〜１９との通信に異常が生じると、電気機器１５〜１９の制御に遅延が生じる可能性がある。
【００３０】
例えば、図３に示されるように、管理装置８１が、ステップＳ１０の処理として、複数の電気機器１５〜１８を操作するための指令信号を統合操作装置４０に送信したとする。この場合、統合操作装置４０は、ステップＳ２０の処理として、指令信号を受信すると、受信した指令信号に基づいて充電装置１５、蓄電装置１６、空調装置１７、照明装置１８を順に操作する。このような状況において、統合操作装置４０が、まず、ステップＳ２１の処理として、充電装置１５に指令信号を送信した際に、仮に統合操作装置４０と充電装置１５との間の通信に異常が生じたとすると、充電装置１５は指令信号を受信することができない。
【００３１】
このような状況では、充電装置１５から統合操作装置４０に動作完了信号が送信されないため、統合操作装置４０は充電装置１５の動作の完了を認知することができない。したがって、統合操作装置４０は、ステップＳ２１ａ〜Ｓ２１ｅの処理として、所定の周期で指令信号を送信し続けることになる。
【００３２】
このような状況において、統合操作装置４０がステップＳ２１ｅの処理で指令信号を送信した際に通信異常が解消されていた場合、充電装置１５は、ステップＳ３０の処理として、指令信号を受信する。この場合、充電装置１５は、指令信号に基づいて動作した後、ステップＳ３１の処理として、統合操作装置４０に動作完了信号を送信する。
【００３３】
統合操作装置４０は、ステップＳ２２の処理として、充電装置１５から送信される動作完了信号を受信した後、ステップＳ２３，Ｓ２５，Ｓ２７の処理として、蓄電装置１６、空調装置１７、及び照明装置１８に順に指令信号を送信する。蓄電装置１６、空調装置１７、及び照明装置１８は、ステップＳ３２，Ｓ３４，Ｓ３６の処理として指令信号を受信すると、指令信号に基づいて動作する。また、蓄電装置１６、空調装置１７、及び照明装置１８は、動作が完了した後に、ステップＳ３３，Ｓ３５，Ｓ３７の処理として、動作完了信号を統合操作装置４０に送信する。
【００３４】
統合操作装置４０は、ステップＳ２４，Ｓ２６，Ｓ２８の処理として、蓄電装置１６、空調装置１７、及び照明装置１８からそれぞれ送信される動作完了信号を受信する。統合操作装置４０は、こうして電気機器１５〜１８から送信される動作完了信号を全て受信すると、ステップＳ２９の処理として、操作対象である電気機器１５〜１８の全ての動作が完了した旨を示す動作完了通知を管理装置８１に送信する。管理装置８１は、ステップＳ１１の処理として、統合操作装置４０から送信される動作完了通知を受信することにより、電気機器１５〜１８の制御が完了したことを認知することができる。
【００３５】
図３に示されるような事例では、統合操作装置４０と充電装置１５との間の通信に異常が生じている期間だけ、他の電気機器１６〜１８への指令信号の送信が遅れる。この指令信号の送信の遅れの分だけ電気機器１６〜１８の制御の開始時期が遅延するため、結果的に住宅１０の消費電力を適切に減少させることができない等の不都合が生じる可能性がある。
【００３６】
そこで、本実施形態の管理システム８０では、統合操作装置４０により電気機器１５〜１９を遠隔操作する際の優先順位を定めた上で、仮に統合操作装置４０と電気機器１５〜１９との間に通信異常が生じた場合には、その電気機器との通信を一旦停止して次の優先順位の電気機器を操作するようにしている。次に、この処理の詳細について説明する。
【００３７】
はじめに、図４を参照して、管理装置８１により実行される処理の手順について詳しく説明する。なお、管理装置８１は、図４に示される処理を所定の周期で繰り返し実行する。
図４に示されるように、管理装置８１は、まず、ステップＳ４０の処理として、住宅１０の複数の電気機器を遠隔操作可能な統合操作装置４０が住宅１０内に存在するか否かを判断する。具体的には、管理装置８１は、無線ルータ５０を介して通信可能な統合操作装置４０が存在しているか否かを判断する。管理装置８１は、本実施形態と異なり統合操作装置４０が住宅内に存在していない場合には、ステップＳ４０の処理で否定判断する。この場合、管理装置８１は、図４に示される処理を一旦終了する。
【００３８】
一方、本実施形態の住宅１０のように、無線ルータ５０を介して管理装置８１と通信可能な統合操作装置４０が存在している場合には、管理装置８１は、ステップＳ４０の処理で肯定判断する。この場合、管理装置８１は、ステップＳ４１の処理として、電気機器１５〜１９のそれぞれの定格消費電力の情報を統合操作装置４０から取得する。具体的には、統合操作装置４０は、電気機器１５〜１９のそれぞれと赤外線通信を確立した際に、電気機器１５〜１９のそれぞれから定格消費電力の情報を取得する。管理装置８１は、この統合操作装置４０が取得している電気機器１５〜１９のそれぞれの定格消費電力の情報を統合操作装置４０から取得する。本実施形態では、定格消費電力の情報が、電気機器１５〜１９の電力情報に相当する。
【００３９】
なお、電気機器１５〜１９の中には、定格消費電力等の情報を送信できない機器が存在する場合もある。このような機器が存在する場合、その機器から定格消費電力等の情報を統合操作装置４０が取得することができないため、統合操作装置４０は、その機器に対しては定格消費電力の情報がないと判断する。
【００４０】
管理装置８１は、ステップＳ４１の処理に続いて、ステップＳ４２の処理として、統合操作装置４０により操作可能な電気機器１５〜１９の全ての定格消費電力の情報を有しているか否かを判断する。管理装置８１は、ステップＳ４２の処理で肯定判断した場合、すなわち全ての電気機器１５〜１９の定格消費電力の情報を取得している場合には、ステップＳ４３の第１優先順位設定処理として、取得した定格消費電力の情報に基づいて、優先順位情報を作成する。優先順位情報は、統合操作装置４０が複数の電気機器１５〜１９を操作する際の優先順位を規定する情報である。具体的には、管理装置８１は、定格消費電力の大きいものほど、優先順位が高くなるように優先順位情報を作成する。
【００４１】
また、管理装置８１は、ステップＳ４２の処理で否定判断した場合には、すなわち複数の電気機器１５〜１９のうちの少なくとも一つの電気機器の定格消費電力を取得することができなかった場合には、ステップＳ４４の第２優先順位設定処理として、予め設定されている仮の優先順位を用いて最終的な優先順位情報を設定する。
【００４２】
具体的には、管理装置８１は、優先順位を高めに設定すべき重点機器の情報を予め有している。例えば、充電装置１５、蓄電装置１６、空調装置１７、及び照明装置１８が重点機器として登録されている場合には、図５に示されるように予め仮の優先順位が設定されている。なお、図５に示される図表では、数字が小さいものほど、優先順位が高いことを示している。また、扇風機１９が重点機器として登録されていない場合には、扇風機１９には優先順位が設定されていない。管理装置８１は、定格消費電力を取得することのできる電気機器、重点機器に登録されている電気機器、重点機器に登録されていない電気機器の順で優先順位を設定する。
【００４３】
例えば、図５に示されるように、管理装置８１が充電装置１５及び空調装置１７のそれぞれの定格消費電力の情報を取得できたものの、蓄電装置１６、照明装置１８、及び扇風機１９のそれぞれの定格消費電力の情報を取得できなかったとする。この場合、管理装置８１は、まず、定格消費電力の情報を取得することのできた充電装置１５及び空調装置１７に関しては、それぞれの定格消費電力に基づいて、定格消費電力の大きいものほど優先順位を高く設定する。例えば充電装置１５の定格消費電力Ｗａが空調装置１７の定格消費電力Ｗｂよりも大きい場合には、管理装置８１は、充電装置１５の優先順位を「１」に設定するとともに、空調装置１７の優先順位を「２」に設定する。
【００４４】
また、管理装置８１は、定格消費電力の情報を取得できなかった蓄電装置１６、照明装置１８、及び扇風機１９のうち、重点機器として登録されている蓄電装置１６及び照明装置１８に関しては、予め設定されている仮の優先順位を用いる。したがって、管理装置８１は、蓄電装置１６の優先順位を「３」に設定するとともに、照明装置１８の優先順位を「４」に設定する。最後に、管理装置８１は、重点機器として登録されていない扇風機１９に関しては、その優先順位を「５」に設定する。これにより、図５の最も右側の欄に記載されるような最終的な優先順位情報が作成されることになる。
【００４５】
図４に示されるように、管理装置８１は、ステップＳ４３の処理又はステップＳ４４の処理を実行した場合、ステップＳ４５の処理として、最終的な優先順位情報を統合操作装置４０に送信した後、図４に示される処理を一旦終了する。
次に、図６を参照して、統合操作装置４０の制御部４２により実行される処理の手順について説明する。なお、制御部４２は、図６に示される処理を所定の周期で繰り返し実行する。
【００４６】
図６に示されるように、制御部４２は、まず、ステップＳ５０の処理として、通信異常の生じている電気機器が存在するか否かを判断する。制御部４２は、ステップＳ５０の処理で否定判断した場合には、すなわち通信異常の生じている電気機器が存在しない場合には、ステップＳ５１の処理として、タイマのカウント値Ｃをリセットする。また、制御部４２は、ステップＳ５２の処理として、管理装置８１から送信される最終的な優先順位情報に基づいて、優先順位が最も高く、且つ指令信号の送信が完了していない電気機器に指令信号を送信した後、図６に示される処理を一旦終了する。例えば図５の最も右側の欄に示されるように最終的な優先順位情報が設定されている場合、ステップＳ５２の処理では、まずは充電装置１５に対して指令信号が送信される。また、充電装置１５への指令信号の送信が完了した時点から所定の周期が経過した後に制御部４２が図６に示される処理を再度実行した際に、ステップＳ５２の処理では、指令信号の送信が完了しておらず、且つ優先順位の最も高い空調装置１７に指令信号が送信されることになる。
【００４７】
制御部４２は、ステップＳ５０の処理で肯定判断した場合には、すなわち通信異常の生じている電気機器が存在する場合には、ステップＳ５３の処理として、タイマがカウント中であるか否かを判断する。制御部４２は、ステップＳ５３の処理で否定判断した場合には、すなわちタイマがカウント中でない場合には、ステップＳ５４の処理として、タイマのカウントを開始する。したがって、タイマのカウント値Ｃは、電気機器１５〜１９のいずれかに通信異常が検出された時点からの経過時間を示す。
【００４８】
制御部４２は、ステップＳ５３の処理で肯定判断した場合、すなわちタイマがカウント中である場合、あるいはステップＳ５４の処理を実行した場合には、ステップＳ５５の処理として、次の優先順位の電気機器に指令信号を送信する。
制御部４２は、ステップＳ５５の処理に続いて、ステップＳ５６の処理として、タイマのカウント値Ｃが所定の閾値Ｃｔｈ以上になったか否かを判断する。閾値Ｃｔｈは、通信異常の生じている電気機器に指令信号を一旦送信してから指令信号の送信を再開するまでの時間間隔に相当するものであり、予め設定されている。
【００４９】
制御部４２は、ステップＳ５６の処理で否定判断した場合には、すなわちタイマのカウント値Ｃが閾値Ｃｔｈ未満である場合には、図６に示される処理を一旦終了する。
制御部４２は、ステップＳ５６の処理で肯定判断した場合には、すなわちタイマのカウント値Ｃが閾値Ｃｔｈ以上になった場合には、ステップＳ５７の処理として、タイマのカウント値Ｃをリセットする。また、制御部４２は、ステップＳ５８の処理として、通信異常の生じている電気機器に指令信号を再送した後、図６に示される一連の処理を一旦終了する。
【００５０】
次に、図７を参照して、本実施形態の管理システム８０の動作例について説明する。なお、以下では、最終的な優先順位情報において、充電装置１５、蓄電装置１６、空調装置１７、照明装置１８、扇風機１９の順で優先順位が設定されている場合について説明する。
図７に示されるように、管理装置８１が、ステップＳ６０の処理として、複数の電気機器１５〜１８を操作するための指令信号を統合操作装置４０に送信したとする。この場合、統合操作装置４０は、ステップＳ７０の処理として、指令信号を受信すると、ステップＳ７１の処理として、指令信号を受信した旨の応答信号を管理装置８１に送信する。管理装置８１は、ステップＳ６１の処理として、統合操作装置４０から送信される応答信号を受信することにより、統合操作装置４０が指令信号を受信できたことを認知することができる。
【００５１】
その後、統合操作装置４０は、指令信号に基づいて充電装置１５、蓄電装置１６、空調装置１７、照明装置１８を順に操作する。この際に、統合操作装置４０が、まず、ステップＳ７２の処理として、充電装置１５に指令信号を送信した際に、仮に統合操作装置４０と充電装置１５との間の通信に異常が生じているとすると、充電装置１５は指令信号を受信することができない。この場合、統合操作装置４０は、充電装置１５から送信される応答信号を受信することができないため、そのことに基づいて充電装置１５との通信に異常が生じていると判定する。したがって、統合操作装置４０は、タイマのカウントを開始する。
【００５２】
続いて、統合操作装置４０は、ステップＳ７３，Ｓ７５の処理として、蓄電装置１６及び空調装置１７に順に指令信号を送信する。蓄電装置１６及び空調装置１７は、ステップＳ９０，Ｓ９２の処理として指令信号を受信すると、指令信号に基づいて動作する。また、蓄電装置１６及び空調装置１７は、動作が完了した後に、ステップＳ９１，Ｓ９３の処理として、動作完了信号を統合操作装置４０に送信する。これにより、統合操作装置４０は、ステップＳ７４，Ｓ７６の処理として、蓄電装置１６及び空調装置１７のそれぞれの動作完了信号を受信する。
【００５３】
統合操作装置４０は、蓄電装置１６及び空調装置１７のそれぞれの動作完了信号を受信した際にタイマのカウント値Ｃが閾値Ｃｔｈ以上になっている場合には、ステップＳ７２ａとして、充電装置１５に指令信号を送信する。この際にも、統合操作装置４０と充電装置１５との間の通信に異常が生じていたとすると、充電装置１５は指令信号を受信することができない。この場合、統合操作装置４０は、充電装置１５から送信される応答信号を受信することができないため、そのことに基づいて充電装置１５との通信に異常が生じていると判定する。したがって、統合操作装置４０は、タイマのカウントを再開する。
【００５４】
続いて、統合操作装置４０は、ステップＳ７７の処理として、照明装置１８に指令信号を送信する。照明装置１８は、ステップＳ９４の処理として指令信号を受信すると、指令信号に基づいて動作する。また、照明装置１８は、動作が完了した後に、ステップＳ９５の処理として、動作完了信号を統合操作装置４０に送信する。これにより、統合操作装置４０は、ステップＳ７８の処理として、照明装置１８の動作完了信号を受信する。
【００５５】
その後、統合操作装置４０は、ステップＳ７２ｂ，Ｓ７２ｃの処理として、充電装置１５への指令信号の送信を継続する。ステップＳ７２ｃの処理で統合操作装置４０が指令信号を送信した際に、統合操作装置４０と充電装置１５との通信異常が解消されていた場合には、充電装置１５は、ステップＳ９６の処理として、指令信号を受信することができる。この場合、充電装置１５は、ステップＳ９７の処理として、動作完了信号を統合操作装置４０に送信する。これにより、統合操作装置４０は、ステップＳ７９の処理として、充電装置１５の動作完了信号を受信する。
【００５６】
統合操作装置４０は、このようにして電気機器１５〜１８から送信される動作完了信号を全て受信すると、ステップＳ８０の処理として、操作対象である電気機器１５〜１８の全ての動作が完了した旨を示す動作完了通知を管理装置８１に送信する。管理装置８１は、ステップＳ６２の処理として、統合操作装置４０から送信される動作完了通知を受信することにより、電気機器１５〜１８の制御が完了したことを認知することができる。
【００５７】
以上説明した本実施形態の管理システム８０によれば、以下の（１）〜（５）に示される作用及び効果を得ることができる。
（１）統合操作装置４０により電気機器１５〜１９を遠隔操作する際に通信異常が生じた場合でも、通信異常の生じた電気機器の次の優先順位の電気機器が統合操作装置４０により操作される。よって、通信異常の生じている電気機器とは別の電気機器をより早期に制御することが可能となる。
【００５８】
（２）管理装置８１は、複数の電気機器１５〜１９の優先順位を、複数の電気機器１５〜１９のそれぞれの定格消費電力に基づいて設定する。具体的には、管理装置８１は、定格消費電力が高いものほど優先順位が高くなるように複数の電気機器１５〜１９の優先順位を設定する。これにより、管理装置８１が住宅１０の消費電力を減らすような電力制御を行っている場合には、定格消費電力の大きい電気機器をより早期に制御することが可能となるため、例えば住宅１０の消費電力を減らすことが可能となる。
【００５９】
（３）管理装置８１は、統合操作装置４０との通信により複数の電気機器１５〜１９のそれぞれの定格消費電力の情報を取得する。これにより、複数の電気機器１５〜１９のそれぞれの定格消費電力の情報を管理装置８１が容易に取得することができる。
（４）管理装置８１は、統合操作装置４０との通信により複数の電気機器１５〜１９のうちの一部の定格消費電力の情報を取得することができなかった場合には、定格消費電力の情報を取得することのできた電気機器の優先順位を定格消費電力に基づいて設定する。また、管理装置８１は、定格消費電力の情報を取得することのできなかった電気機器の優先順位を予め定められた仮の優先順位を用いて設定する。これにより、仮に電気機器１５〜１９のうちの一部の定格消費電力の情報を管理装置８１が取得することができなかった場合でも、優先順位を設定することができる。
【００６０】
（５）管理装置８１は、統合操作装置４０との通信により電気機器１５〜１９の全ての定格消費電力の情報を取得することができなかった場合には、電気機器１５〜１９の全ての優先順位を予め定められた仮の優先順位を用いて設定する。これにより、仮に電気機器１５〜１９の全ての定格消費電力の情報を管理装置８１が取得することができなかった場合でも、優先順位を設定することができる。
【００６１】
（変形例）
次に、第１実施形態の管理システム８０の変形例について説明する。
本変形例の管理装置８１は、電気機器１５〜１９のそれぞれの定格消費電力の情報に変えて、電気機器１５〜１９のそれぞれの現在の消費電力の情報を用いて優先順位を設定する。なお、管理装置８１は、電気機器１５〜１９のそれぞれの現在の消費電力の情報を分電盤１３等から取得する。管理装置８１は、現在の消費電力が高いものほど優先順位が高くなるように電気機器１５〜１９の優先順位を設定する。
【００６２】
このような構成であれば、電気機器１５〜１９のそれぞれの現在の消費電力を反映した優先順位付けが可能となる。そのため、管理装置８１が住宅１０の消費電力を減らすような電力制御を行っている場合には、現在の消費電力の大きい電気機器をより早期に制御することが可能となるため、より的確に住宅１０の消費電力を減らすことが可能となる。
【００６３】
＜第２実施形態＞
次に、第２実施形態の管理システム８０について説明する。以下、第１実施形態の管理システム８０との相違点を中心に説明する。
本実施形態の管理装置８１は、電気機器１５〜１９の少なくとも一つに通信異常が生じた際に、その旨をサーバ装置９０に送信する処理を実行する。具体的には、管理装置８１は、図８に示される処理を所定の周期で繰り返し実行する。
【００６４】
図８に示されるように、管理装置８１は、まず、ステップＳ１００の処理として、全ての電気機器１５〜１９との通信が異常であるか否かを判断する。管理装置８１は、ステップＳ１００の処理で肯定判断した場合には、すなわち全ての電気機器１５〜１９との通信が異常である場合には、ステップＳ１０１の処理として、第１不具合通知処理を実行する。具体的には、管理装置８１は、第１不具合通知処理として、統合操作装置４０の通信機能の不全、又は通信経路の不良が生じている可能性があることをサーバ装置９０に通知する。管理装置８１は、ステップＳ１０１の処理を実行した後、図８に示される一連の処理を一旦終了する。
【００６５】
管理装置８１は、ステップＳ１００の処理で否定判断した場合には、ステップＳ１０２の処理として、全ての電気機器１５〜１９との通信が正常であるか否かを判断する。管理装置８１は、ステップＳ１０２の処理で肯定判断した場合には、すなわち全ての電気機器１５〜１９との通信が正常である場合には、図８に示される一連の処理を一旦終了する。
【００６６】
管理装置８１は、ステップＳ１０２の処理で否定判断した場合には、すなわち電気機器１５〜１９のいずれかとの通信が異常である場合には、ステップＳ１０３の処理として、第２不具合通知処理を実行する。具体的には、管理装置８１は、第２不具合通知処理として、通信機能に異常が生じている電気機器が存在することをサーバ装置９０に通知する。管理装置８１は、ステップＳ１０３の処理を実行した後、図８に示される一連の処理を一旦終了する。
【００６７】
以上説明した本実施形態の管理システム８０によれば、以下の（６）に示される作用及び効果を更に得ることができる。
（６）管理装置８１は、電気機器１５〜１９との通信に異常が生じている場合には、その旨を住宅１０の外部のサーバ装置９０に通知する。これにより、電気機器１５〜１９との通信に異常が生じたことをサーバ装置９０が早期に認知することができるため、異常の対策を早期に講じることが可能となる。
【００６８】
＜他の実施形態＞
なお、上記実施形態は、以下の形態にて実施することもできる。
・統合操作装置４０により操作可能な電気機器は、充電装置１５、蓄電装置１６、空調装置１７、照明装置１８、及び扇風機１９に限らず、任意の電気機器を選択可能である。
【００６９】
・住宅１０内には、複数の統合操作装置４０が設けられていてもよい。
・管理装置８１は、電気機器１５〜１９のうちの一部の電気機器と有線通信可能に接続されていてもよい。
・管理装置８１は、優先順位を設定する際に用いる電力情報として、定格消費電力や現在の消費電力に限らず、それらと相関関係のある適宜の電力情報を用いることができる。
【００７０】
・管理装置８１及び統合操作装置４０の制御部４２が提供する手段及び／又は機能は、実体的な記憶装置に記憶されたソフトウェア及びそれを実行するコンピュータ、ソフトウェアのみ、ハードウェアのみ、あるいはそれらの組み合わせにより提供することができる。例えば管理装置８１及び統合操作装置４０の制御部４２がハードウェアである電子回路により提供される場合、それは多数の論理回路を含むデジタル回路、又はアナログ回路により提供することができる。
【００７１】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００７２】
１０：管理システム
１５：充電装置（電気機器）
１６：蓄電装置（電気機器）
１７：空調装置（電気機器）
１８：照明装置（電気機器）
１９：扇風機（電気機器）
４０：統合操作装置
８１：管理装置
９０：サーバ装置
【図１】
2018182559.tif 000003
【図２】
2018182559.tif 000004
【図３】
2018182559.tif 000005
【図４】
2018182559.tif 000006
【図５】
2018182559.tif 000007
【図６】
2018182559.tif 000008
【図７】
2018182559.tif 000009
【図８】
2018182559.tif 000010